(57)【要約】【課題】土木建設工事の法面整形作業において、回転レーザ装置を法面と平行に投光させて、バックホウに取り付けた掘削支援装置によって、正確に掘削整形する法面用レーザレベル三脚を開発する。【解決手段】レーザ光線を回転照射するレーザ投光器を載置する測量用三脚であって、レーザ投光器を載置する板状の基台の一方の端部に、一方向の傾斜勾配が分かる水準器と前記方向と直角方向の水準が分かる水準器を備え、前記基台の他方の端部から上方に伸びて、基台と平行に設けられた板状の台座に視準望遠鏡を設置し、レーザ投光ラインの位置を視準望遠鏡で予測して調整できる法面用レーザレベル三脚を使用して、レーザ投光し、法面整形するものである。【選択図】図１
2011017588.tif 000002
【特許請求の範囲】
【請求項１】
土木建設業などの建設現場の法面において、レーザ光線を回転照射するレーザ投光器を載置する測量用三脚であって、レーザ投光器を載置する板状の基台の一方の端部に、一方向の傾斜勾配が分かる水準器と前記方向と直角方向の水準が分かる水準器を備え、前記基台の他方の端部から上方に伸びて、基台と平行に設けられた板状の台座に視準望遠鏡を設置し、レーザ投光ラインの位置を視準望遠鏡で予測して調整できる事を特徴とする法面用レーザレベル三脚。
【請求項２】
前記三脚のひとつの脚が、４節平行リンク構造からなり、法面に掛けられた丁張の貫板に前記４節平行リンク構造の法面側のリンクを固定できる装置を設けた請求項１記載の法面用レーザレベル三脚。
【請求項３】
法面に立てる側の二つの平行リンクに目盛表記された４節平行リンク構造からなり、法面に掛けられた貫板に前記４節平行リンク構造の法面側のリンクを固定できる装置を設け、法面と平行なもうひとつのリンクには傾斜勾配が分かる水準器を設け、前記４節平行リンク構造に転倒防止のための伸縮脚を設けたことを特徴とする標尺。
【発明の詳細な説明】
【技術分野】
【０００１】
本発明は、レーザ光を照射することで、あるいは往復操作させ、さらに回転することで、基準点、基準線、測定基準平面を形成し、特に水平基準面のほかに水平基準面に対して所定の角度に傾斜した任意傾斜設定面を形成可能な法面用回転レーザ装置の三脚に関するものである。
【背景技術】
【０００２】
近年、高さ方向の測定、特に基準高さに基づいてラインおよび平面等を形成する場合において、回転レーザ装置が使用されている。回転レーザ装置は、レーザ光線を水平方向に照射しつつ回転し、或は往復走査し、回転基準面を形成し、或は部分的な基準ライン、基準面、更に基準線、基準点を形成するものである。
【０００３】
例えば、内装関係で窓枠の位置出し等の基準ラインを形成するものとして、更に土木工事においては盛土を行い、切土面を形成するための基準水平面を形成するものとして使用される。更に、回転レーザ装置において１方向、あるいは２方向に傾斜させた基準平面を形成することができるものがあり、傾斜した基準面も容易に得ることが出来るようになった。
【０００４】
従来の回転レーザ装置として特開平１０−３８５７１が開示されている。
【特許文献１】特開平１０−３８５７１
【発明の開示】
【発明が解決しようとする課題】
【０００５】
上記従来の回転レーザ装置では、傾斜角は傾斜センサによって電気的に検出され、又傾動機構により電気的に設定されるため、高精度で設定が可能である。しかしながら、傾斜した基準面は、水平面より機器の構造上、角度で３０度くらいが限界でそれ以上の大きな角度の傾斜した基準面は、従来技術では、設定不可能であった。本発明の法面用レーザレベル三脚は、特願２００８−３２９７４５の掘削支援装置に対応するために開発されたものである。この装置を取り付けたバックホウによって法面の掘削をするために、レーザ光を法面と平行に照射しなければならない。そのために考えられたものである。
【課題を解決するための手段】
【０００６】
土木建設業などの建設現場の法面において、レーザ光線を回転照射するレーザ投光器を載置する測量用三脚であって、レーザ投光器を載置する板状の基台の一方の端部に、一方向の傾斜勾配が分かる水準器と前記方向と直角方向の水準が分かる水準器を備え、前記基台の他方の端部から上方に伸びて、基台と平行に設けられた板状の台座に視準望遠鏡を設置し、レーザ投光ラインの位置を視準望遠鏡で予測して調整できるものである。また、前記三脚のひとつの脚が、４節平行リンク構造からなり、法面に掛けられた丁張の貫板に前記４節平行リンク構造の法面側のリンクを固定できるものである。標尺においては、法面に立てる側の二つの平行リンクに目盛表記された４節平行リンク構造からなり、法面に掛けられた貫板に前記４節平行リンク構造の法面側のリンクを固定できる装置を設け、法面と平行なもうひとつのリンクには傾斜勾配が分かる水準器を設け、前記４節平行リンク構造に転倒防止のための伸縮脚を設けるものである。
【発明の効果】
【０００７】
本発明の法面用レーザレベル三脚を使用することによって、２方向の傾斜角を、簡単に設定でき、視準望遠鏡で微調整を調整出来るので、バックホウによる法面整形作業が簡単で、作業員による指示が必要なく、正確に早く法面整形できるようになった。
【発明を実施するための最良の形態】
【０００８】
本発明の法面用レーザレベル三脚を図に基づいて説明する。図１は、本発明の法面用レーザレベル三脚の斜視図である。図２は、本発明の法面用レーザレベル三脚の側面図である。
図３は、本発明の法面用レーザレベル三脚の基台付近の説明図である。
１は、本発明の法面用レーザレベル三脚である。２は二方向水準器、３は視準望遠鏡、４は基台、５は台座、６は姿勢調整ネジ、７は方向調整ネジ、８は伸縮脚、９は平行リンク脚、１０はレーザレベル、１１は貫板用止めネジ、１２は貫板、である。
【０００９】
二方向水準器２を説明する。ここで、図３の中で、傾斜方向および貫板の長手方向をＸ軸、Ｘ軸と角度で９０度交差する方向をＹ軸とする。二方向水準器２は、二つの気胞管が水平面上で上側から見てＴ字状に接続固定したもので、Ｙ軸の気胞管の長手方向の軸芯を中心として回転できるように基台４に取り付けられている。Ｘ軸の回転する気胞管は、気胞管の水平状態で位置する気胞の位置を、中心としたリングに囲まれて固定されている。水平の状態でリングの最高端に印をつけておく。前記リングは、外側より回動可能に支持するように構成されている。基台４のリングを囲う部分には、傾斜させた状態で気胞管を水平にすると前記リングに付けた印に合うように上側に傾斜勾配を、例えば、１割、２割、３分、４分という格好に、印を付けておく。
【００１０】
視準望遠鏡３は、Ｘ軸方向とＹ軸方向の基台４の方向を視準するためのもので、視野内には台座５と平行な線と垂直な線が十字に見えるようになっている。姿勢調整ネジは、付いてなく、台座５の面と平行に視準されるものである。図３の中で、台座５には、Ｘ軸方向とＹ軸方向が刻印されており、その刻印に合わせて視準望遠鏡３を取り付ける。視準望遠鏡３には、その刻印に合わせると、Ｘ軸、Ｙ軸ともに簡単に方向設定できるようになっている。
【００１１】
基台４は、図３の中で、基台４のＸ軸Ｙ軸が二方向水準器２のＸ軸Ｙ軸に平行になるように二方向水準器２が取り付けられており、中ほどにレーザ光を回転しながら投光するレーザ投光器１０が設置できるようになっており、他方には、台座５への支持柱が上方へ、伸びている。基台４の面と台座５の面は、平行になっており、レーザ光と視準望遠鏡３の視準ラインＡとは平行に、保たれる。
【００１２】
姿勢調整ネジ６は、Ｘ軸、Ｙ軸方向の微調整をするものである。方向調整ネジ７は、方向を微調整するものである。伸縮脚８は、平行リンク脚９を法面と垂直に立てるためのもので、伸縮可能となっている。平行リンク脚９は、法面もしくは法面に設定された貫板１２に固定して使用するもので、平行リンク構造によって法面の勾配が、基台４の傾斜と合うようになっている。平行リンク脚９の法面側のリンクには、貫板用止めネジ１１が設置されており、蝶ねじを締めることによって貫板１２を挟み込んで固定できるようになっている。また、貫板１２がない場合、平行リンク脚９の法面と平行でない二つのリンクの法面側の先端が、尖っており足で踏みこんで地面に食い込むようになっている。各リンクの軸には、片方が蝶ねじでできており、締めることで各リンクの軸を固定できるようになっている。また、平行リンク脚９は、４節リンク構造になっており、お互い向かい合うリンクは、同じ長さで平行である。バックホウの掘削支援装置に対応するレーザ光は、掘削する整形面１６より１．２メートルほどの高さでレーザ光を投光しなければならない。よって平行リンクの傾斜方向でない二つのリンクは、１．２メートル程度の長さとする。整形前ではほとんどの場合、地盤が凹凸になっている。そのために、法面の丁張１２を入れた場合、仕上り面より３０センチとか５０センチほど上がって、丁張がかけられる場合が多い。その場合に、平行リンク脚９をひし形状に折りたたんで、整形面１６よりレーザ投光面までの距離を１．２メートル程度に調整するために、平行リンク構造となっている。
【００１３】
レーザレベル１０は、市販のもので、自動水平設定機構などないもので、基台４と平行な面を投光できるものとする。貫板用止めネジ１１は、蝶ねじを締めることによって貫板１２と平行リンク脚９を固定できるようになっている。貫板１２は、土木工事では丁張と呼ばれ、出来型の高さ、傾斜面などの形状を貫板１２で形を表すものである。
【００１４】
標尺１３は、水準器１４を備えており、二方向水準器２のＸ軸のものと同様な目盛を付けて水準器を水平に合わせて目盛を見て傾斜が分かるようになっている。また、法面用レーザレベル三脚１の平行リンク脚９と同様な構造となっており、法面と垂直方向のリンクが二つ目盛り板１５になっている。
【００１５】
図５は、法面用レーザレベル三脚１の法面据え付け方法を示した図である。
Ｈ１は、視準望遠鏡の視準ラインＡより整形面１６までの距離、Ｓ１は、設置された法面用レーザレベル三脚１の法面上方での視準ラインＡより整形面１６までの距離、Ｓ２は、丁張を掛けた場所での視準ラインＡより整形面１６までの距離、Ｓ３はＳ２の法面上方での視準ラインＡより整形面１６までの距離である。
はじめに、法面用レーザレベル三脚１の法面側のリンクに設けられている貫板用止めネジ１１を貫板１２に締めこんで貫板側のリンクを固定する。基台４の高さを仕上げ面より垂直高さで１．２メートル程度に４節リンク脚９を回動させて、各リンク軸の蝶ねじを締めて固定する。これは、掘削支援装置を取り付けたバックホウ用のレーザ光高さである。
Ｙ軸方向に対して水平になるように、二つの伸縮脚の伸縮用止めネジを緩めて、尖った先端部を地面に足で踏みこんで固定し、伸縮用止めネジを締めて固定する。傾斜用の水準器によって、設定された勾配と合っているか確認する。Ｙ軸方向の水準器を姿勢調整ネジ６で調整して水平に合わす。次に、視準望遠鏡３を台座５に角度で９０度ごとに刻印された印に合わせて取り付ける。視準望遠鏡３の上側の回転できる方にも刻印をしておく。視準望遠鏡３の視野内の十字線は設定されているものとする。Ｘ軸Ｙ軸ともに視準出来るようにしておく。視準する丁張の貫板１２に標尺１３を、法面側のリンクに設けられている貫板用止めネジ１１を貫板１２に締めこんで貫板側のリンクを固定する。筋かいの棒を掛けて、整形面１６Ｘ軸方向垂直に目盛り板が立つようにして、角リンク軸の蝶ねじを締めて固定する。それから、伸縮脚９を伸ばして整形面１６Ｙ軸方向より、垂直に立つようにして固定する。法面距離が短い場合、法面用レーザレベル三脚１と標尺１３を設置したら、視準望遠鏡３のＹ軸方向に印を合わせて、Ｙ軸方向にある標尺１３を見る。ここでＹ軸方向と標尺１３の位置が違っていてもかまわない。標尺１３の位置に合わせて、視準ラインＡのＨ１と、Ｓ２の長さを比較する。姿勢調整ネジ６を使って、Ｓ２の距離をＨ１に合わせる。標尺の左側の目盛り板１５と右側の目盛り板１５の読みが違う場合、これは法面用レーザレベル三脚１を設置している貫板１２と標尺１３を設置している貫板１２の勾配が違うということである。両方の貫板１２の勾配を確認しなければならない。どちらかの勾配を修正して、もう一度設定やり直す。
法面距離が長い場合、法面用レーザレベル三脚１と標尺１３を設置したら、まず法面用レーザレベル三脚１を設置している貫板１２の上側の標尺を見る。ここで視準望遠鏡のＸ軸と合っているか確認する。外れている場合、貫板１２が勾配方向に垂直に掛けられていないということで、実際の勾配は、貫板の勾配よりは緩い。貫板の曲がり、勾配の誤差を多少含んでいるので、Ｈ１とＳ２は多少違っている場合が多い。大きく違う場合、貫板の勾配と法面用レーザレベル三脚１の勾配が違うということになる。これをもう一度合わせ、修正する。Ｓ１をＨ１に合わせたら、Ｙ軸に視準望遠鏡を合わせ、Ｓ２を見る。Ｓ２をＨ１に、Ｙ軸の姿勢調整ネジ６を回転させてあわせる。確認のためにＳ３を視準望遠鏡３で見てみる。違っている場合、二つの貫板１２の勾配が違うので、原因を検討してみる。姿勢調整ネジ６を回転させて調整した場合、二方向水準器２のＸ軸の勾配が変化するので、最終調整においては、Ｓ１，Ｓ２,Ｓ３，二方向水準器２のＸ軸の勾配を検討して決める。最終調整が終わると、レーザレベルを基台４に取り付け、レーザ光Ｂの高さＨと視準ラインＡの高さＨ１と比較してその差を考慮して、レーザ投光して掘削支援装置を取り付けたバックホウによって、法面整形を開始する。
【図面の簡単な説明】
【００１６】
【図１】本発明の法面用レーザレベル三脚の斜視図である。
【図２】本発明の法面用レーザレベル三脚の側面図である。
【図３】本発明の法面用レーザレベル三脚の基台付近の説明図である。
【図４】本発明の法面用レーザレベル三脚専用の標尺の側面図である。
【図５】本発明の法面用レーザレベル三脚の法面据え付け方法を示した図である。
【符号の説明】
【００１７】
１    法面用レーザレベル三脚
２    二方向水準器
３    視準望遠鏡
４    基台
５    台座
５１  アイマーク
５２  目盛
６    姿勢調整ネジ
７    方向調整ネジ
８    伸縮脚
９    平行リンク脚
１０  レーザレベル
１１  貫板用止めネジ
１２  貫板
１３  標尺
１４  水準器
１５  目盛り板
１６  整形面
【図１】
2011017588.tif 000003
【図２】
2011017588.tif 000004
【図３】
2011017588.tif 000005
【図４】
2011017588.tif 000006
【図５】
2011017588.tif 000007